(57)【要約】【課題】  電話番号の入力により個人の加入者に対し住所レベルに応じた地図の表示を行えるようにする。【解決手段】  電話番号を入力して当該電話番号の加入者に関する情報を検索し出力する電話番号による地点検索出力装置であって、少なくとも電話番号と加入者の住所を含む加入者に関する情報とを格納する記憶手段３と、電話番号の入力や加入者に関する情報の入力を行う入力手段１と、入力手段より入力される電話番号に応じて加入者に関する情報を検索する検索手段４と、電話番号の入力に応じて検索手段により検索された加入者に関する情報の出力を制御する出力制御手段４とを備え、該出力制御手段４は、電話番号の加入者に関する情報の住所レベルに応じて地図を表示する。【選択図】図１
2004166293.tif 000002
【特許請求の範囲】
【請求項１】
電話番号を入力して当該電話番号の加入者に関する情報を検索し出力する電話番号による地点検索出力装置であって、少なくとも電話番号と加入者の住所を含む加入者に関する情報とを格納する記憶手段と、電話番号の入力を行う入力手段と、入力手段より入力される電話番号に応じて加入者に関する情報を検索する検索手段と、電話番号の入力に応じて検索手段により検索された加入者に関する情報を制御する制御手段とを備え、前記記憶手段は、前記加入者に関する情報に住所レベルに応じてコードで階層別に格納した住所を有し、前記制御手段は、各階層の格納状態により住所レベルを判定し、電話番号の加入者に関する情報の住所レベルに応じて地図を表示することを特徴とする電話番号による地点検索出力装置。
【請求項２】
電話番号を入力して当該電話番号の加入者に関する情報を検索し出力する電話番号による地点検索出力装置であって、少なくとも電話番号と加入者の住所を含む加入者に関する情報とを格納する記憶手段と、電話番号の入力を行う入力手段と、入力手段より入力される電話番号に応じて加入者に関する情報を検索する検索手段と、電話番号の入力に応じて検索手段により検索された加入者に関する情報を制御する制御手段とを備え、前記記憶手段は、前記加入者に関する情報に格納されている住所レベルを示す住所識別フラグを有し、前記制御手段は、前記住所識別フラグにより住所レベルを判定し、電話番号の加入者に関する情報の住所レベルに応じて地図を表示することを特徴とする電話番号による地点検索出力装置。
【発明の詳細な説明】
【技術分野】
【０００１】
本発明は、電話番号を入力して電話番号に対応する加入者に関する情報を検索し出力する電話番号による地点検索出力装置及び記録媒体に関する。
【背景技術】
【０００２】
ナビゲーション装置の目的地や通過点などの地点の入力に電話番号が利用されている。このような装置は、電話番号が入力されると、その電話番号に該当する地点の地点座標を検索し、この地点座標を中心とした地図を表示するものである。しかし、電話番号は、数字の羅列からなるものであるため、誤った番号として認識していたり、入力する際に誤った番号を入力してしまうと、ユーザが所望する地点とは異なる地図が表示されてしまうという不具合がある。
【０００３】
また、電話番号が正しく入力されたユーザが所望する地点を中心にした地図が表示されたとしても、入力された電話番号の加入者が会社や店舗、施設などの事業者である場合には、実際にその地点付近に移動したときに施設の看板や案内板等を認識することにより、ユーザは所望する地点に到達したことを確認することができるが、入力された電話番号の加入者が個人の場合には、実際にその地点に移動したとしても看板や案内板はなく、さらに表札もないときには、その地点が所望する地点であるのか確認できないという不具合もある。
【特許文献１】特開平８−９４３７７号公報
【発明の開示】
【発明が解決しようとする課題】
【０００４】
本発明は、上記課題を解決するものであって、電話番号の入力により個人の加入者に対し住所レベルに応じた地図の表示を行えるようにするものである。
【課題を解決するための手段】
【０００５】
本発明は、電話番号の加入者に関する情報に、住所レベルに応じてコードで階層別に格納した住所を有し、各階層の格納状態により住所レベルを判定して電話番号の加入者に関する情報の住所レベルに応じて地図を表示することを特徴とする。また、電話番号の加入者に関する情報に格納されている住所レベルを示す住所識別フラグを有し、、前記住所識別フラグにより住所レベルを判定して電話番号の加入者に関する情報の住所レベルに応じて地図を表示することを特徴とする。
【発明の効果】
【０００６】
本発明によれば、電話番号の加入者に関する情報の詳細さに応じて地図を表示することができる。
【発明を実施するための最良の形態】
【０００７】
以下、本発明の実施の形態を図面を参照しつつ説明する。
図１は本発明に係る電話番号による地点検索出力装置の実施の形態を示す図であり、経路案内に関する情報を入力する入力装置１、自車両の現在位置に関する情報を検出する現在位置検出装置２、経路の算出に必要なナビゲーション用データや経路案内に必要な表示／音声の案内データとプログラム（アプリケーション及び／又はＯＳ）等が記録されている情報記憶装置３、ナビデータ処理手段として経路探索処理や経路案内に必要な表示／音声案内処理、さらにシステム全体の制御を行う中央処理装置４、車両の走行に関する情報である、例えば道路情報、交通情報を送受信したり、車両の現在位置に関する情報を検出したり、さらに現在位置に関する情報を送受信したりする情報送受信装置５、経路案内に関する情報を出力する出力装置６から構成されている。つまり、本発明に係る電話番号による地点検索出力装置をナビゲーション装置に適用した例を示している。
【０００８】
入力装置１は、目的地を入力したり、運転者の意志によりナビゲーション処理を中央処理装置４に指示する機能を備えている。その機能を実現するための手段として、目的地を電話番号や地図上の座標などにて入力したり、経路案内をリクエストしたりするタッチスイッチやジョグダイアル等のリモートコントローラ等を用いることができる。
また、本実施形態では音声入力による対話を行うための装置を備えており、音声入力装置として機能する。また、ＩＣカードや磁気カードに記録されたデータを読み取るための記録カード読み取り装置を付加することもできる。また、ナビゲーションに必要なデータを蓄積し、運転者の要求により通信回線を介して情報提供する情報センターや、地図データや目的地データ、簡易地図、建造物形状地図などのデータを有する携帯型の電子装置等の情報源との間でデータのやりとりを行うためのデータ通信装置を付加することもできる。
【０００９】
現在位置検出装置２は、衛星航法システム（ＧＰＳ）を利用して車両の現在位置情報を入手するもの、車両の進行方位を、例えば地磁気を利用することにより絶対方位で検出する絶対方位センサ、車両の進行方位を、例えばステアリングセンサ、ジャイロセンサを利用することにより相対方位で検出する相対方位センサ、例えば車輪の回転数から車両の走行距離を検出する距離センサ等から構成される。
【００１０】
情報記憶装置３は、ナビゲーション用のプログラム及びデータを記憶した外部記憶装置で、例えばＣＤ−ＲＯＭ等からなっている。プログラムは、経路探索などの処理を行うためのプログラム、本実施例記載のフローチャートに示される処理プログラムや経路案内に必要な表示出力制御、音声入力により対話的に案内を行うためのプログラム及びそれに必要なデータ、音声案内に必要な音声出力制御を行うためのプログラム及びそれに必要なデータが格納されている。記憶されるデータとしては、地図データ、探索データ、案内データ、マップマッチングデータ、目的地データ、登録地点データ、道路データ、交差点等分岐点の画像データ、ジャンル別データ、ランドマークデータ等のファイルからなり、ナビゲーション装置に必要なすべてのデータが記憶されている。なお、本実施形態は、ＣＤ−ＲＯＭにはデータのみ格納し、プログラムは中央処理装置に格納するタイプのものにも適用可能である。ここでは、情報記憶装置として、ＣＤ−ＲＡＭを例に挙げたが、ＤＶＤ−ＲＯＭ等の光ディスク、フロッピィディスク等の磁気ディスク、ＭＯ等の光磁気ディスクでもよい。
【００１１】
中央処理装置４は、種々の演算処理を実行するＣＰＵ、情報記憶装置３のＣＤ−ＲＯＭからプログラムを読み込んで格納するフラッシュメモリ、フラッシュメモリのプログラムチェック、更新処理を行うプログラム（プログラム読み込み手段）を格納したＲＯＭ、設定された目的地の地点座標、道路名コードＮｏ．等の探索された経路案内情報や演算処理中のデータを一時的に格納するＲＡＭからなっている。また、この他にも図示は省略するが、入力装置１からの音声入力による対話処理を行ったり、ＣＰＵからの音声出力制御信号に基づいて情報記憶装置３から読み出した音声、フレーズ、１つにまとまった文章、音等を合成してアナログ信号に変換してスピーカに出力する音声プロセッサ、通信による入出力データのやり取りを行う通信インタフェースおよび現在位置検出装置２のセンサ信号を取り込むためのセンサ入力インタフェース、内部ダイアグ情報に日付や時間を記入するための時計などを備えている。なお、前記した更新処理を行うプログラムを外部記憶装置に格納しておいてもよい。
【００１２】
本発明の実施形態に係るプログラム、その他ナビゲーションを実行するためのプログラムは全て外部記憶媒体であるＣＤ−ＲＯＭに格納されてもよいし、それらプログラムの一部または全てが本体側のＲＯＭ４２に格納されていてもよい。この外部記憶媒体に記憶されたデータやプログラムが外部信号としてナビゲーション装置本体の中央処理装置に入力されて演算処理されることにより、種々のナビゲーション機能が実現される。
【００１３】
本実施形態のナビゲーション装置は、上記のように外部記憶装置のＣＤ−ＲＯＭからプログラムを読み込むための比較的大容量のフラッシュメモリ、ＣＤの立ち上げ処理を行うプログラム（プログラム読み込み手段）を格納した小容量のＲＯＭを内蔵する。フラッシュメモリは、電源が切断しても記憶情報が保持される、つまり不揮発性の記憶手段である。そして、ＣＤの立ち上げ処理として、プログラム読み込み手段であるＲＯＭのプログラムを起動してフラッシュメモリに格納したプログラムチェックを行い、情報記憶装置３のＣＤ−ＲＯＭのディスク管理情報等を読み込む。プログラムのローディング処理（更新処理）は、この情報とフラッシュメモリの状態から判断して行われる。
【００１４】
情報送受信装置５は、衛星航法システム（ＧＰＳ）を利用して情報を入手するＧＰＳ受信装置、ＦＭ多重放送、電波ビーコン、光ビーコン等を利用して情報を入手するためのＶＩＣＳ情報受信装置、携帯電話、パソコン等を利用することにより、情報センター（例えばＡＴＩＳ）や他車両と情報を双方向に通信するためのデータ送受信装置等から構成される。
【００１５】
出力装置６は、運転者が必要な時に案内情報を音声および／または画面により出力したり、中央処理装置４でナビゲーション処理されたデータなどをプリント出力する機能を備えている。そのための手段として、中央処理装置４で処理したデータや情報記憶装置３に格納されたデータを画面表示するために展開、描画するメモリ、メモリに描画したイメージデータを表示するディスプレイ、中央処理装置４で処理したデータや情報記憶装置３に格納されたデータをプリント出力するプリンタ、経路案内を音声で出力するスピーカなどを備えている。
【００１６】
ディスプレイは、簡易型の液晶表示器等により構成されており、中央処理装置４が処理する地図の表示データや案内データに基づき展開、描画された交差点拡大図画面、目的地名、時刻、距離、進行方向矢印等を表示する。ディスプレイに表示する画像データは、２値画像データ（ビットマップデータ）であり、中央処理装置４が処理する地図の表示データや案内データをシリアル通信等で使用する通信線を使用し、また、他の通信線を兼用して受信し、出力装置６内でメモリに展開、描画した後、指示された表示範囲をディスプレイの画面に表示する。
【００１７】
このディスプレイは、運転席近傍のインストルメントパネル内に設けられており、運転者はこれを見ることにより自車両の現在地を確認したり、またこれからの経路についての情報を得ることができる。また、図示は省略するが、ディスプレイの表示画面にタッチパネル、タッチスクリーン等を含むタブレットを使用し、画面に触れる、或いは画面をなぞることにより、地点入力、道路入力等を行えるように構成してもよい。
【００１８】
図２は本発明の実施形態に係るナビゲーション装置の全体の流れを説明するための図である。中央処理装置４に情報記憶装置３からプログラムが読み込まれて経路案内のプログラムが起動されると、現在位置検出装置２により現在位置を検出して現在位置を中心としてその周辺地図を表示すると共に、現在位置の名称等を表示する（ステップＳ２）。次に、地名や施設名称等の目標名、電話番号や住所、登録地点、道路名等を用いて目的地を設定し（ステップＳ３）、現在位置から目的地までの経路探索を行う（ステップＳ４）。経路が決まると、現在位置検出装置２による現在位置追跡を行いながら、目的地に到着するまで経路案内・表示を繰り返し行う（ステップＳ５）。目的地に到着する前に寄り道設定の入力があった場合には、探索エリアを設定してその探索エリアでの再探索を行い、同様に目的地に到着するまで経路案内を繰り返し行う。
【００１９】
本実施形態の電話番号による地点検索出力装置は、電話番号の入力による地点の検索、設定、地図の案内等において、入力された電話番号の加入者名称が制約のない例えば所謂事業者か、制約のある例えば個人かを判定する。そして、加入者名称が事業者の場合には、その加入者の地点に関する情報の出力（地点の表示、案内、設定等）を行い、加入者名称が個人の場合には、加入者名称の入力など一定の条件付でその加入者の地点に関する情報の出力を行う。加入者の地点に関する情報の出力は、事業者であれば例えば店舗、会社、施設などの施設名称、個人であれば個人名や住所を表示した後、その地点を中心とする地図を表示し、さらに目的地や経由地などの地点入力の場合には目的地等の地点の設定入力に基づき目的地等として設定する。加入者名称が個人である場合に要求される条件は、例えば加入者名称の入力であり、その入力した加入者名称が電話番号の加入者名称と一致することにより、例えば電話番号と加入者名称や住所を表示した後、その地点を中心とする地図を表示し、さらにその地点の設定を可能とする。
加入者名称が不一致の場合には、その旨のメッセージや報知音を出力する。さらに、ユーザーの入力ミスなどに対応可能とする場合には、加入者名称の入力、あるいは電話番号の入力を再度行うようにする。
【００２０】
図３は本発明の実施形態に係る電話番号による地点検索出力装置に用いるデータの構成例を示す図、図４はタウンページ用とハローページ用に分けたデータの構成例を示す図である。
【００２１】
本発明の実施形態に係る電話番号による地点検索出力装置に用いるデータは、図３（Ｂ）に示すように電話番号データと５０音データと地点情報データにより構成される。そして、電話番号データは、昇順、或いは降順に電話番号と地点情報データオフセットを格納したものであり、電話番号が入力されたとき検索を行って、その電話番号の地点情報データオフセットに基づき地点情報データを取得する。地点情報データオフセットは、例えば地点情報データの格納アドレスを示すものである。この電話番号データと地点情報データを検索データとすることにより、電話番号が入力されると、ヒット（一致）した電話番号の地点情報データオフセットを検索し、該地点情報データオフセットに基づいてその地点の種々の情報（地点名称や住所等）を地点情報データから検索して地図と共に表示する。５０音データは、５０音順に電話番号の加入者の読みや地点名称と地点情報データオフセットを格納したものであり、読みや地点名称が入力されたとき検索を行って、その読みや地点名称の地点情報データオフセットに基づき地点情報データを取得する。ここで、地点名称は、施設名称や個人名などである。
【００２２】
地点情報データは、電話番号順あるいは読みの５０音順、住所毎にグループ分けして、地点名称、住所、住所識別フラグ、地点座標（ｘ，ｙ）等、電話番号の加入者の地点に関する情報、さらに識別フラグを格納したものである。電話番号データ及び５０音データに格納された電話番号とその読みや地点名称の入力に対して、住所は、例えば確認情報として出力する際に用い、図３（Ａ）に示すように住所の階層毎に「愛知県」は２３、「岡崎市」は２０２など、都道府県コード、市町村コード、大字コード、小字コード、街区以下（地番、枝番）にコードが付されている。住所識別フラグは、住所がどの階層レベルまで格納されているかを示すフラグである。また、地点座標は、例えばその地点を中心とする地図を表示したり、地図上にその地点をマーク表示する際に用いる。
【００２３】
識別フラグは、加入者を類別するものであり、例えば電話番号が個人のような制約のある加入者か事業者のような制約のない加入者かを類別する。したがって、例えば電話帳に基づけば、タウンページ（ＮＴＴの商標名、以下同様）の電話帳のデータは施設や店舗、会社等の事業者のデータであるので制約無とし、ハローページ（ＮＴＴの商標名、以下同様）の電話帳のデータは個人宅のデータであるので制約有として、識別フラグが設定されるが、勿論、これは励磁であって、他の分類、区分に基づいて制約有無の識別情報を設定してもよいことはいうまでもない。そして、先に述べたように制約無の電話番号の場合には、直ちに地点情報を提供し、制約有の電話番号の場合には、加入者名称のチェックを行ってその一致により地点情報を提供する。なお、画面に住所を文字として表示するときには、別に格納されている住所データベースを用いてコードから文字に変換するように構成してもよい。
【００２４】
上記電話番号データ、５０音データ、地点情報データをそれぞれ制約無のタウンページ用と制約有のハローページ用に分けてデータを構成した例を示したのが図４である。
この場合には、図３に示す地点情報データに設定したタウンページのデータかハローページのデータかを識別する識別情報は不要となる。したがって、このようなデータ構造を採用した場合には、タウンページかハローページか、つまり制約有りの電話番号入力か制約無の電話番号入力かモードを選択し、その選択に基づき電話番号のオフセットを決めて検索するようにも構成可能である。
【００２５】
次に、上記検索データを用いて行う電話番号入力モードでの検索、案内処理の例を説明する。図５は電話番号入力モードでの地点設定を行う処理の例を説明するための図、図６は電話番号入力モードでの地点設定を行う他の処理の例を説明するための図である。
【００２６】
電話番号入力モードでの地点設定を行う処理では、図５に示すようにまず、電話番号入力画面を表示し電話番号が入力されると（ステップＳ１１）、電話番号データを検索して該当する地点の住所データの住所レベルの判断を行い（ステップＳ１２）、住所レベルが街区レベル以下のデータが格納されているか（ステップＳ１３）、小字レベルまでのデータが格納されているか（ステップＳ１８）を調べる。
【００２７】
そして、まず、街区レベル以下のデータが格納されている場合には、加入者情報入力画面を表示して加入者に関する情報の入力を行い（ステップＳ１４）、入力された電話番号と加入者に関する情報が一致するか否かを調べ（ステップＳ１５）、一致すれば、地点情報データから座標を取得して（ステップＳ１６）、取得した座標を中心として地図を表示する（ステップＳ１７）。
【００２８】
また、小字レベルまでのデータが格納されている場合には、地点情報データから小字の代表地点の座標を取得し（ステップＳ１９）、取得した座標を中心として地図を表示し（ステップＳ２０）、小字レベルのデータも格納されていない場合には、地点情報データからそのレベル、例えば大字の代表地点の座標を取得し（ステップＳ２１）、取得した座標を中心として地図を表示する（ステップＳ２２）。
【００２９】
なお、入力された電話番号と加入者に関する情報が一致しない場合には、例えばビープ音等で不一致を報知して処理終了とし、或いはステップＳ１４に戻って再度加入者に関する情報の入力を行ってもよい。また、ステップＳ１３、１８の処理における住所レベルの判定は、住所識別フラグにより行うようにしてもよい。
【００３０】
さらに、電話番号入力による他の地点設定処理を説明すると、図６に示すように、電話番号を入力すると（ステップＳ３１）、電話番号データと一致するか否かを判定する（ステップＳ３２）。電話番号データと一致する場合にはさらにタウンページデータか否かを判定し（ステップＳ３３）、タウンページデータの場合には、該当する施設名称及び座標を地点情報データから取得して（ステップＳ３４）、施設名称と共に取得した座標を中心として地図を表示し地点設定を行う（ステップＳ３５）。
【００３１】
ステップＳ３３の判定でタウンページデータでなかった場合には、つまりハローページであった場合には例えば「個人宅」、「市内局番周辺地図」、「住所リスト」の選択画面を表示し（ステップＳ３６）、「個人宅」が選択されたか否かを判定する（ステップＳ３７）。「個人宅」が選択された場合には、個人名称入力画面を表示して（ステップＳ３８）、個人名称の入力処理を行い（ステップＳ３９）、入力された電話番号と個人名称が一致するか否かを判定する（ステップＳ４０）。一致しなければステップＳ３６に戻り、一致すれば地点座標データから座標を取得して（ステップＳ４１）、取得した座標を中心として地図を表示し地点設定を行う（ステップＳ４２）。
【００３２】
ステップＳ３２の判定で電話番号データと一致しなかった場合には、「市内局番周辺地図」、「住所リスト」の選択画面を表示し（ステップＳ４３）、「市内局番周辺地図」が選択されたか否かを判定する（ステップＳ４４）。なお、この判定処理は、ステップＳ３７で「個人宅」が選択されなかった場合にも行う。
【００３３】
ステップＳ４４で「市内局番周辺地図」が選択された場合には、入力された電話番号の市内局番の代表座標を取得して（ステップＳ４５）、取得した代表座標を中心として地図を表示し地点設定を行う（ステップＳ４６）。また、「住所リスト」が選択された場合には、住所リストにて住所を選択し（ステップＳ４７）、選択された住所の座標を取得して（ステップＳ４８）、取得した座標を中心として地図を表示し地点設定を行う（ステップＳ４９）。
【００３４】
さらに、具体的な画面及びその遷移例に基づき本実施形態を詳述する。図７は地点設定により行き先を決める場合の画面の遷移例を説明するための図、図８は電話番号入力画面の例を示す図、図９はハローページでヒットした場合に表示する選択画面の例を示す図、図１０はヒットする番号がない場合及び市内局番までの入力の場合に表示する選択画面の例を示す図、図１１は５０音入力画面の例を示す図、図１２は施設名称を表示する地図表示画面の例を示す図、図１３は個人宅を表示する地図表示画面の例を示す図、図１４は住所をピンポイントで表示する地図表示画面の例を示す図、図１５は代表位置座標に基づき表示する周辺地図表示画面の例を示す図である。
【００３５】
電話番号入力モードになると、まず図８に示す電話番号入力画面を表示する。電話番号入力画面は、図８に示すようにメッセージ領域、入力表示領域、キー入力領域の各領域を区分している。そして、メッセージ領域には、「リモコン１０キーで番号入力できます」を表示し、入力表示領域には、入力した電話番号「０５２７０１１１１１」を表示し、キー入力領域には、数字を入力するためのテンキー、前の画面、モードに戻るための戻るキー、誤入力に対し桁を後退させ入力し直すための後退キー、入力した数字列を電話番号として検索を開始するための検索キーを設定、表示している。この画面のテンキーで数字を入力し、検索キーを入力すると、検索を開始し、９桁乃至１０桁の入力か、市内局番までの入力か、市内局番までの入力がないかにより図示のように分岐する。
【００３６】
まず、９桁乃至１０桁の入力があった場合には、その番号が登録地点、タウンページ、ハローページのいずれでヒットしたか、あるいはヒットする番号がないかにより、図７に示すように登録地点でヒットすると、登録地点名称で行き先に設定でき、目的地図表示に遷移し、タウンページでヒットすると、施設名称で行き先に設定でき、図１２に示す地図表示画面に遷移し、ハローページでヒットすると、図９に示す選択画面に遷移し、ヒットする番号がないと、図１０に示す選択画面に遷移する。また、市内局番までの入力の場合には、図１０に示す選択画面に遷移し、市内局番までの入力がない場合には、ビープ音を発して入力リセット後に図８に示す電話番号入力画面に戻る。
【００３７】
ハローページでヒットすると表示される図９に示す選択画面は、電話番号が情報提供に制約有の個人加入の電話番号であることから、その個人宅の地図を表示するのか、その市内局番（０５２−７０１）の周辺の地図を表示するのか、あるいはそのエリア内で住所を選択入力してその住所の地図を表示するのかを選択する画面である。ここで、個人宅を選択すると、図１１に示す５０音入力画面に遷移する。５０音入力画面で加入者名称を名字、フルネーム、頭文字等で５０音で入力すると、電話番号の加入者名称との一致判断を行い、一致により電話番号、加入者名称、さらには住所と共にそのピンポイントを図１３に示すように地図に表示する。したがって、「ここに行く」の選択により、行き先が決定される。しかし、電話番号の加入者名称と不一致の場合には、例えば「入力された電話番号と加入者が一致しません」のようなメッセージを表示した後、図９に示す選択画面に戻る。
【００３８】
また、図９に示す選択画面で「０５２−７０１周辺の地図」を選択すると、図１５に示す市内局番の周辺地図表示画面に遷移し、住所リストを選択すると、県市町村、丁目、番、大字、小字、地番で図１４に示す地図表示画面に遷移して行き先の設定ができるようになる。これら周辺の地図及び住所リストの選択による画面の遷移は、図１０に示す選択画面からも同様である。
【００３９】
図１６は電話番号入力において個人宅でヒットした場合に表示する同姓リストの例を示す図、図１７は電話番号入力において個人宅でヒットした場合に表示する近傍の個人宅リストの例を示す図、図１８は図１７に示すリストに特定地点からの距離と方向を付加した例を示す図、図１９は同姓リストを出力する場合の処理の例を説明するための図、図２０は近傍の個人宅リストを出力する場合の処理の例を説明するための図である。
【００４０】
上記実施の形態では、電話番号を入力して検索したとき、その電話番号の加入者が制約有りの場合に、加入者名称や頭文字、名字等を５０音入力してそれらの一致により電話番号の加入者地点をピンポイントで地図に表示したが、この場合に、５０音入力ではなくリスト表示を行って、その中から指定入力を行うようにしてもよい。
例えば加入者名称の場合には、類似名称、図１６に示すような同姓の名称を近傍で検索してリスト表示し、入力された電話番号の加入者名称と異なる名称が指定入力された場合に不一致処理する。したがって、一定のエリアで複数検索されない場合には、複数検索されるまで、最小街区から、例えば小字→大字→市町村→都道府県、小字→隣接した小字、該当する電話番号の加入者地点を中心として円や矩形、多角形で段階的に範囲を拡大してもよい。
【００４１】
また、電話番号入力において個人宅でヒットした場合に図１７に示すようにその個人宅近傍の個人宅を複数検索してリスト表示してもよいし、リストとして、加入者の氏名、イニシャル、頭文字、郵便番号又は住所などを表示し、さらに図１８に示すように特定地点からの距離と方向を付加して表示してもよい。勿論、リスト表示に代えて、地図上にそれぞれのポイントを表示し、さらに加入者の氏名、イニシャル、頭文字、郵便番号又は住所などを表示してもよい。さらに、個人宅でヒットした場合に、電話番号に制約を解除するため加入者を特定する特定情報を入力して、その一致により具体的な情報を提供する趣旨からして、特定情    報として、個人宅の名称に代えて、住所やイニシャル、頭文字、郵便番号等を用いてもよい。近傍の範囲も、単なる距離でもよいが、同一街区内での直線距離としてもよい。
【００４２】
上記のように同姓リストを出力する場合の処理は、例えば図１９に示すように電話番号入力を行い（ステップＳ５１）、入力された電話番号に該当する個人名称を地点情報データから取得すると（ステップＳ５２）、同一小字内の検索範囲として取得した個人名称と同姓の個人名称を検索する（ステップＳ５３）。複数検索されたか否かにより（ステップＳ５４）、複数検索されない場合には、複数検索されるまで範囲を変更して検索を行い（ステップＳ５５）、複数検索されるとリストを表示する（ステップＳ５６）。しかる後、リストから個人名称が選択されたか否かを判定し（ステップＳ５７）、さらに入力された電話番号の加入者名称と選択された個人名称が一致するか否かを判定する（ステップＳ５８）。不一致の場合には、再度電話番号入力を行うステップＳ５１に戻り、一致した場合には、地点情報データから座標を取得して（ステップＳ５９）、取得した座標を中心として地図表示を行って（ステップＳ６０）、地点設定処理を終了する。なお、不一致の場合には、図９に示す選択画面に戻ってもよい。
【００４３】
また、近傍の個人宅リストを出力する場合の処理は、例えば図２０に示すように電話番号入力を行い（ステップＳ６１）、入力された電話番号に該当する座標を地点情報データから取得すると（ステップＳ６２）、取得した座標から所定範囲内における他の個人宅の地点座標との距離を計算し（ステップＳ６３）、距離が近い順に個人宅名称リストを表示する（ステップＳ６４）。しかる後、リストから個人名称が選択されたか否かを判定し（ステップＳ６５）、さらに入力された電話番号の加入者名称と選択された個人名称が一致するか否かを判定する（ステップＳ６６）。不一致の場合には、再度電話番号入力を行うステップＳ６１に戻り、一致した場合には、地点情報データから座標を取得して（ステップＳ６７）、取得した座標を中心として地図表示を行って（ステップＳ６８）、地点設定処理を終了する。なお、不一致の場合には、図１９で説明した処理と同様に図９に示す選択画面に戻ってもよい。
【００４４】
なお、本発明は、上記実施の形態に限定されるものではなく、種々の変形が可能である。例えば上記実施の形態では、地点情報データとして電話番号と読み又は地点名称と住所と地点座標と識別情報を持たせたが、併せて店舗であれば営業内容、種類などのような地点の案内情報を持たせてもよいし、別に案内データを用意し、その案内データのオフセット情報を持たせるようにしてもよい。また、識別フラグは、地点情報データに持たせたが電話番号データに持たせてもよいし、電話帳のハローページかタウンページかに応じて設定するもので説明したが、個人、登録者、公共施設、営業店舗など加入者を幾つかに区分し、その区分に応じた識別情報を設定するように構成してもよい。
【００４５】
さらに加入者名称を入力する場合に、フルネーム、名字、頭文字を５０音で入力するものとして説明したが、電話番号とセットにして個人宅など加入者の特定が可能な情報であれば、名前、漢字、ローマ字、イニシャル、ファーストネーム、ミドルネーム、ファミリーネーム、住所、都道府県、州名、都市名、市町村名、ストリート名、郵便番号、性別、血液型、誕生日、所属会社や学校名、電子メールアドレス（全文字、＠まで）、個人の認証番号など、電話番号による検索情報との照合が可能な各種の情報を加入者を特定する特定情報として用いることができることはいうまでもない。
【００４６】
また、入力された電話番号を電話番号データで検索して加入者名称が個人の場合には、加入者名称の照合を行うので、電話番号データとして、識別フラグ、さらには個人の場合にその照合情報を併せて格納しておくようにしてもよい。このようにすると、電話番号データの検索で直ちに識別を行い、さらに個人名の照合が必要なときにも、電話番号データの検索だけですますことができる。また、５０音データにおいても、読みと地点情報オフセットを格納したが、地点名称等を含めて全てを読みとして、個人名だけでなく施設名称の検索データとして用いるようにしてもよい。このようにすると、例えば「名古屋鉄道」の場合に、「なごやてつどう」、「めいてつ」、「関西国際空港」の場合に、「かんさいこくさいくうこう」、「かんくう」のように通称や愛称の読みデータを別々に設定することにより、いずれの入力にも対応可能となる。
【産業上の利用可能性】
【００４７】
入力された電話番号が個人宅で街区、地番、枝番までの詳細なデータが格納されている場合に、加入者に関する情報との一致判定を行い、一致した場合にその個人の位置を表示するため、プライバシーの問題をも解決することが可能となる。さらに、本発明では、プライバシーの問題から電話番号入力後にさらなる入力処理をしたにもかかわらず、結果として正確な個人宅の位置の地図ができないことを防止することができる。
【図面の簡単な説明】
【００４８】
【図１】本発明に係る電話番号による地点検索出力装置の実施の形態を示す図である。
【図２】本発明に係るナビゲーション装置の全体の流れを説明するための図である。
【図３】本発明に係る電話番号による地点検索出力装置に用いる検索データの構成例を示す図である。
【図４】タウンページ用とハローページ用に分けたデータの構成例を示す図である。
【図５】電話番号入力モードでの地点設定を行う処理の例を説明するための図である。
【図６】電話番号入力モードでの地点設定を行う他の処理の例を説明するための図である。
【図７】地点設定により行き先を決める場合の画面    の遷移例を説明するための図である。
【図８】電話番号入力画面の例を示す図である。
【図９】ハローページでヒットした場合に表示する選択画面の例を示す図である。
【図１０】ヒットする番号がない場合及び市内局番までの入力の場合に表示する選択画面の例を示す図である。
【図１１】５０音入力画面の例を示す図である。
【図１２】施設名称を表示する地図表示画面の例を示す図である。
【図１３】個人宅を表示する地図表示画面の例を示す図である。
【図１４】代表位置座標に基づき表示する周辺地図表示画面の例を示す図である。
【図１５】住所をピンポイントで表示する地図表示画面の例を示す図である。
【図１６】電話番号入力において個人宅でヒットした場合に表示する同姓リストの例を示す図である。
【図１７】電話番号入力において個人宅でヒットした場合に表示する近傍の個人宅リストの例を示す図である。
【図１８】図１７に示すリストに特定地点からの距離と方向を付加した例を示す図である。
【図１９】同姓リストを出力する場合の処理の例を説明するための図である。
【図２０】近傍の個人宅リストを出力する場合の処理の例を説明するための図である。
【符号の説明】
【００４９】
１…入力装置
２…現在位置検出装置
３…情報記憶装置
４…中央処理装置
５…情報送受信装置
６…出力装置
【図１】
2004166293.tif 000003
【図２】
2004166293.tif 000004
【図３】
2004166293.tif 000005
【図４】
2004166293.tif 000006
【図５】
2004166293.tif 000007
【図６】
2004166293.tif 000008
【図７】
2004166293.tif 000009
【図８】
2004166293.tif 000010
【図９】
2004166293.tif 000011
【図１０】
2004166293.tif 000012
【図１１】
2004166293.tif 000013
【図１２】
2004166293.tif 000014
【図１３】
2004166293.tif 000015
【図１４】
2004166293.tif 000016
【図１５】
2004166293.tif 000017
【図１６】
2004166293.tif 000018
【図１７】
2004166293.tif 000019
【図１８】
2004166293.tif 000020
【図１９】
2004166293.tif 000021
【図２０】
2004166293.tif 000022